(57)【要約】【課題】個別もしくは複数名のスケジュール表示部を有するカレンダーを表示し、電子機器を用いて遠距離からもスケジュール入力可能な表示装置及び表示システム１を提供する。【解決手段】個人もしくは複数名のスケジュールを表示する表示装置８０であって、情報を表示する表示部５０、スケジュール情報を入力する入力端末１０と、前記入力されたスケジュール情報を送信し、遠隔地にて入力されたスケジュール情報を受信する通信部３２と、前記入力されたスケジュール情報及び前記受信したスケジュール情報を、前記表示部５０に表示させる制御部３４と、を備えた。【選択図】図１
2017015858.tif 000002
【特許請求の範囲】
【請求項１】
個人もしくは複数名のスケジュールを表示する表示装置であって、少なくとも
情報を表示する表示部と、
スケジュール情報を入力する入力端末と、
前記入力されたスケジュール情報を送信し、遠隔地にて入力されたスケジュール情報を受信する通信部と、
前記入力されたスケジュール情報及び前記受信したスケジュール情報を、前記表示部に表示させる制御部と、を備えたことを特徴とする表示装置。
【請求項２】
複数名のスケジュールを個別に表示することを特徴とする請求項１に記載の表示装置。
【請求項３】
前記スケジュール情報が更新された時に、更新を知らせる信号を送受信することを特徴とする請求項１または請求項２に記載の表示装置。
【請求項４】
前記入力端末が、前記表示部の前面に設けられたタッチパネル形式の入力端末であることを特徴とする請求項１〜３のいずれか一項に記載の表示装置。
【請求項５】
前記入力端末が、利用者特有の識別情報を読み取る機能を有し、利用権限のある利用者のみ操作可能としたことを特徴とする請求項１〜３のいずれか一項に記載の表示装置。
【請求項６】
前記利用者特有の識別情報が、利用者により提示された媒体から得られる識別情報であることを特徴とする請求項５に記載の表示装置。
【請求項７】
前記表示装置が、一次電池または二次電池を備え、前記一次電池または二次電池から供給される電力で駆動することを特徴とする請求項１〜６のいずれか一項に記載の表示装置。
【請求項８】
請求項１〜７のいずれか一項に記載の表示装置を複数有すると共に、これら複数の表示装置に対してネットワークを介して接続したサーバー装置を有することを特徴とする表示システム。
【発明の詳細な説明】
【技術分野】
【０００１】
本発明は、個別または複数名のスケジュール表示可能なカレンダー表示機能のある表示装置及び表示システムに関する。
【背景技術】
【０００２】
従来、カレンダーは、卓上あるいは壁掛けによる月単位の日付表示されたものが一般的であり、その素材は、主に紙等に印刷されたものが多い。職場や家庭においては、日付の箇所に共通の行事の予定や各自のスケジュールを書いて、皆で共有し使用されることもある。また、カレンダーは室内装飾用としての価値も高く、広く普及し使用されている。
【０００３】
これに対し、近年、壁掛けの紙カレンダーを電子化した電子式カレンダーが開発されおり、表示部に年単位、月単位、日単位のいずれか日付表示を選択表示し、年単位及び月単位の日付表示については、現在日を枠付けなどで識別表示している。さらに、手書き入力部が設けられ、手書き入力した文字を例えばメモ領域に月単位のメモとして表示できるようにしている（特許文献１）。
【０００４】
また、壁掛けカレンダーではないが、電子手帳などの入力装置として、カレンダー形式の予定表に日付に関連したスケジュールを手書き入力するものも知られている（特許文献２）。
【０００５】
しかしながら、これらの電子カレンダーにおいては、手書き入力により登録したスケジュール内容が、カレンダー日付とは無関係のメモ領域に表示されるため、スケジュール内容とカレンダー日付との関連がわかりづらく、年、月、週全体のスケジュールを把握できないという問題があった。
【０００６】
また、スケジュールの登録が手書きまたはスイッチ操作による登録しかなく、異なる登録日について、例えば、会議や外出といった同じスケジュール内容を登録する場合、その都度、手書き入力やスイッチ操作による登録を繰り返し行わなければならず、入力操作に手間と時間がかかる問題もあった。
【０００７】
この改善策として、スケジュール表示部を日付ごとに備え、手書き入力及びリーダライタによりスケジュール内容に対応して準備されたカードに搭載されているＲＦタグのタグＩＤを非接触通信により識別子として読み出してデータベースからスケジュールを取得することにより簡単且つ容易にスケジュール登録をできるようにした電子カレンダーも知られている（特許文献３）。
【０００８】
しかしながら、この改善した電子カレンダーにおいても、複数名のスケジュールを個別に管理できない、外出先等の遠距離からのスケジュール入力ができないという問題がある。
【先行技術文献】
【特許文献】
【０００９】
【特許文献１】特開平５−１８１８０６号公報
【特許文献２】特許第３５５７４７８号公報
【特許文献３】特開２００８−２６９２１１号公報
【発明の概要】
【発明が解決しようとする課題】
【００１０】
本発明は、上記事情に鑑みてなされたものであって、個別もしくは複数名のスケジュール表示部を有するカレンダーを表示し、電子機器を用いて遠距離からもスケジュール入力可能な表示装置及び表示システムを提供することを目的とする。
【課題を解決するための手段】
【００１１】
上記の課題を解決するための手段として、請求項１に記載の発明は、個人もしくは複数名のスケジュールを表示する表示装置であって、少なくとも
情報を表示する表示部、
スケジュール情報を入力する入力端末と、
前記入力されたスケジュール情報を送信し、遠隔地にて入力されたスケジュール情報を受信する通信部と、
前記入力されたスケジュール情報及び前記受信したスケジュール情報を、前記表示部に表示させる制御部と、を備えたことを特徴とする表示装置である。
【００１２】
また、請求項２に記載の発明は、複数名のスケジュールを個別に表示することを特徴とする請求項１に記載の表示装置である。
【００１３】
また、請求項３に記載の発明は、前記スケジュール情報が更新された時に、更新を知らせる信号を送受信することを特徴とする請求項１または請求項２に記載の表示装置である。
【００１４】
また、請求項４に記載の発明は、前記入力端末が、前記表示部の前面に設けられたタッチパネル形式の入力端末であることを特徴とする請求項１〜３のいずれか一項に記載の表示装置である。
【００１５】
また、請求項５に記載の発明は、前記入力端末が、利用者特有の識別情報を読み取る機能を有し、利用権限のある利用者のみ操作可能としたことを特徴とする請求項１〜３のいずれか一項に記載の表示装置である。
【００１６】
また、請求項６に記載の発明は、前記利用者特有の識別情報が、利用者により提示された媒体から得られる識別情報であることを特徴とする請求項５に記載の表示装置である。
【００１７】
また、請求項７に記載の発明は、前記表示装置が、一次電池または二次電池を備え、前記一次電池または二次電池から供給される電力で駆動することを特徴とする請求項１〜６のいずれか一項に記載の表示装置である。
【００１８】
また、請求項８に記載の発明は、請求項１〜７のいずれか一項に記載の表示装置を複数有すると共に、これら複数の表示装置に対してネットワークを介して接続したサーバー装置を有することを特徴とする表示システムである。
【発明の効果】
【００１９】
本発明により、個別もしくは複数名のスケジュール表示部を有するカレンダーを表示し、スマートフォンやパソコン等の電子機器を用いて遠距離からもスケジュール入力が可能となり、複数名のスケジュールを個別に管理することができ、外出先等の遠距離からもリアルタイムでスケジュール登録することが可能な表示装置及び表示システムを提供することができる。
【図面の簡単な説明】
【００２０】
【図１】本発明の表示システムを示した概念図である。
【図２】本発明におけるスケジュール情報の一例を示した概念図である。
【図３】本発明における利用権限情報の一例を示した概念図である。
【図４】本発明における表示部の外観構成を示した概念図である。
【図５】本発明の表示装置の機能構成を示した概念図である。
【図６】本発明の表示装置の表示部にスケジュール情報を表示させる処理の流れを示したシーケンス図である。
【図７】本発明における表示装置を介してスケジュール登録する場合の処理に係るシーケンス図である。
【図８】本発明の表示装置における表示部の構成を示した断面概念図である。
【図９】本発明の表示装置の表示部を示した斜視概念図である。
【図１０】Ｌ＊ａ＊ｂ＊（エルスター・エイスター・ビースター）表色系において色相と彩度とを示した図である。
【図１１】本発明のフルカラー型表示部を示した概念図である。
【図１２】本発明の表示部が、表示した画像とカラーフィルタとの関係を示した概念図である。
【発明を実施するための形態】
【００２１】
以下本発明を実施するための形態を、図面を用いて詳細に説明する。図１は、本発明の一実施形態に係る表示システム１を示しており、例えば入力端末１０−１ないし１０−Ｍ、または、表示装置８０−１ないし８０−Ｎを用いて入力された情報をサーバー装置３０が取得し、取得した情報を表示装置８０−１ないし８０−Ｎの表示部に表示させるシステムである。
【００２２】
本発明の表示装置は、情報を表示する表示部と、スケジュール情報を入力する入力端末と、入力されたスケジュール情報を送信し、遠隔地にて入力されたスケジュール情報を受信する通信部と、入力されたスケジュール情報及び前記受信したスケジュール情報を、表示部に表示させる制御部とからなっており、個別にスケジュール情報を送受信することも、センター等に置かれたサーバー装置を介してスケジュール情報を送受信することも可能である。
【００２３】
以下、入力端末１０−１ないし１０−Ｍ、表示部５０−１ないし５０−Ｎ、表示装置８０−１ないし８０−Ｎにおいて、特段区別をしない場合は、符号の後に付す「−（ハイフン）」と、「１」ないし「Ｎ」と、「１」ないし「Ｍ」とを省略して表記する。
【００２４】
表示システム１は、入力端末１０と、記憶部２０と、サーバー装置３０と、表示装置８０とを備え、入力端末１０、記憶部２０、サーバー装置３０、及び表示装置８０との間では、ネットワークＮＷを介した通信が行われる。ネットワークＮＷは、例えば、ＷＡＮ（Ｗｉｄｅ  Ａｒｅａ  Ｎｅｔｗｏｒｋ）や、公衆回線、ＶＰＮ（Ｖｉｒｔｕａｌ  Ｐｒｉｖａｔｅ  Ｎｅｔｗｏｒｋ）、ＬＡＮ（Ｌｏｃａｌ  Ａｒｅａ  Ｎｅｔｗｏｒｋ）などを含む。
【００２５】
表示装置８０は、入力端末機能、記憶部機能、処理機能と、表示機能を装備しており、個別にスケジュール情報を送受信することもできる。
【００２６】
記憶部２０は、例えばＲＡＭ（Ｒａｎｄｏｍ  Ａｃｃｅｓｓ  Ｍｅｍｏｒｙ）やＨＤＤ（Ｈａｒｄ  Ｄｉｓｋ  Ｄｒｉｖｅ）、フラッシュメモリ等の記憶装置である。
【００２７】
入力端末１０は、利用者Ｕがスケジュール情報を登録することのできる装置である。利用者Ｕは、入力端末１０を使ってスケジュール情報を入力し、入力した情報をサーバー装置３０へ送信する。
【００２８】
記憶部２０には、スケジュール情報及び利用権限情報が記憶されている。図２は、スケジュール情報、図３は、利用権限情報の一例を示す図である。図２に示すようにスケジュール情報には、例えば人物ごとの予定情報や、日時（図中、２０ＹＹ／ＭＭ／ＤＤ、８時から１８時）などが含まれる。
【００２９】
また、スケジュール情報には、場所の情報等も含んでも良い。さらに、記憶部２０には、利用権限情報が記憶されている。図３に示すように、利用権限情報は、利用者と利用者がスケジュール登録できる人とを対応付けた情報である。例えば、図示するように利用者Ａ及びＢは、人物Ａ〜Ｃのスケジュール登録が可能であるが、利用者Ｃは、人物Ａ及びＢのスケジュール登録は不可である。そのため、サーバー装置３０は、利用者Ｃから人物Ａ及びＢのスケジュール登録申し込みがされた場合、登録不可であると判定する。
【００３０】
サーバー装置３０は、制御部３４と、通信部３２とを備える。通信部３２は、ネットワークＮＷを介して、入力端末１０及び表示装置８０と通信する。制御部３４は、記憶部２０に記憶された情報に基づいて、通信部３２を介して取得した情報を処理する。
【００３１】
また、制御部３４は、処理結果を記憶部２０に記憶される。制御部３４は、例えば利用者により操作入力されたスケジュール情報を受け付けて、記憶部２０に記憶されたスケジュール情報を更新する。また、制御部３４は、記憶部２０に記憶されたスケジュール情報を表示部５０へ送信する。
【００３２】
表示部５０は、例えば職場の事務所や家庭のリビングなどに設置され、同部署の人や家族のスケジュール情報を含むカレンダーや画像等を表示する。
【００３３】
図４は、表示部５０の外観構成を示す図である。また、図５は、表示装置８０の機能構成を示す図である。表示装置８０は、例えばタッチパネル操作部５２と、読取部５８と、電源部５９と、制御部６０と、通信部７０と、表示部５０とを備える。
【００３４】
制御部６０は、表示装置８０が備えるＣＰＵ等のプロセッサがプログラムメモリに格納されたプログラムを実行することで機能するソフトウェア制御部である。また、制御部６０のうち一部または全部ＬＳＩ（Ｌａｒｇｅ  Ｓｃａｌｅ  Ｉｎｔｅｇｒａｔｉｏｎ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェア機能部であっても良い。
【００３５】
タッチパネル操作部５２は、利用者により操作された場合に、操作に対応する信号を制御部６０へ出力する。
【００３６】
読取部（受付部）５８は、利用者特有の識別情報または利用者により提示された媒体から情報を読み取る。読取部５８は、例えば近距離無線通信を行うことで利用者により提示されたＩＣカードに記憶された情報を読み取るＩＣカードリーダである。
【００３７】
読取部５８は、利用者に提示された社員証などのＩＤカードが近づけられると、ＩＤカードに含まれるＩＣ（Ｉｎｔｅｇｒａｔｅｄ  Ｃｉｒｃｕｉｔ）チップを起動させて無線通信を行う。読取部５８は、無線通信によりＩＣチップに記憶された情報を取得し、取得した情報を制御部６０へ出力する。
【００３８】
なお、読取部５８は、磁気的に記憶された情報を読み取る磁気情報読取部や複数のプッシュボタンが設けられた操作部、顔認証、声認証、指紋認証などでも良い。これらの認証システムを用いることで、認証された特定の個人のスケジュールを選択的に表示させるこ
とも可能となる。
【００３９】
電源部５９は、タッチパネル操作部５２、読取部５８、通信部７０、及び表示部５０に電力を供給する。例えば一次電池や、二次電池などである。また、電源部５９は、外部電源と電気的に接続されてもよい。この場合、電源部５９は、外部電源から供給される電力を各部へ提供する。
【００４０】
制御部６０は、表示制御部６２と、情報処理部６４とを備える。表示制御部６２は、サーバー装置３０から送信された情報に基づいて、表示部５０に画像を表示させる。表示される画像は、サーバー装置３０から送信された情報に対応する画像である。
【００４１】
情報処理部６４は、タッチパネル操作部５２、及び読取部５８から情報を取得し、通信部７０を介して取得した情報をサーバー装置３０へ送信する。通信部７０は、ネットワークＮＷを介してサーバー装置３０と通信する。
【００４２】
表示装置８０は、制御部６０より出力された信号に基づく画像や文字等の各種情報を表示する。本実施形態の表示部５０は、例えば、電子ペーパーが挙げられる。電子ペーパーは、紙の持つ長所である視認性と携帯性を備えた表示媒体であり、表示内容を電気的に書き替えることができ、さらに、ある程度折り曲げが可能であり、バックライトを必要とせず、液晶パネルなどの他のディスプレイに対し消費電力が少なく、一度書き替えると、電力を切断しても表示内容を維持できるメモリ性を備えている。
【００４３】
また、表示部５０は、部分的に画像を書き換えることができる。表示部５０の構成については後述する。表示部５０の大きさは表示するデータ量や見易さ、使用方法により選ぶが、通常のカレンダーと同程度のサイズが好ましい。
【００４４】
図６は、表示装置８０にスケジュール情報を表示させる処理の流れを示すシーケンス図である。まず、サーバー装置３０は、入力端末１０から利用者により操作入力されたスケジュール情報を取得する（ステップＳ１００）。
【００４５】
次に、サーバー装置３０は、取得した情報に基づいて、記憶部２０に記憶された情報を読み出して、読み出した情報を更新する（ステップ１０２）。更新とは、サーバー装置３０が利用者により操作入力されたスケジュール情報を、記憶部２０に記憶されたスケジュール情報の対応する領域に記憶させる処理である。これにより利用者により操作入力されたスケジュールの登録がなされる。
【００４６】
次に、サーバー装置３０は、記憶部２０に記憶された利用情報から送信先の表示装置８０に対応するスケジュール情報を抽出する（ステップＳ１０４）。次に、サーバー装置３０は、入力されたスケジュール情報に基づいて表示信号を生成し、生成した表示信号を表示装置８０へ送信する（ステップＳ１０６）。
【００４７】
なお、表示信号とは、表示装置８０に表示させたい画像に対応する信号である。次に、表示装置８０の表示制御部６２が、表示信号に基づいて表示部５０にスケジュール情報を表示させる（ステップＳ１０８）。これにより、例えば図４に示すように表示部５０は、所定の人物に対応するスケジュール情報を表示する。
【００４８】
人物Ａは、情報が更新された２０ＹＹ／ＭＭ／ＤＤの８：００においてはスケジュールが空いていること、９：００〜１１：００および１３：００〜１５：００の時間帯で予定があることを、表示部５０に表示された画像により、利用者は認識することができる。
【００４９】
ステップＳ１１０は、表示装置８０が、要求信号をサーバー装置３０へ送信する処理である。要求信号とは、表示信号の送信をサーバー装置３０に要求する信号である。例えば図５に示したタッチパネル操作部５２が、利用者により操作されると、表示装置８０は、要求信号を生成し、生成した要求信号をサーバー装置３０へ送信する（ステップＳ１１０）。
【００５０】
次に、サーバー装置３０は、要求信号を取得すると、記憶部２０に記憶された人物に対応するスケジュール情報を抽出し（ステップＳ１１２）、抽出したスケジュール情報に基づいて表示信号を生成し、生成した表示信号を表示装置８０へ送信する（ステップＳ１１４）。
【００５１】
次に、表示装置８０の表示制御部６２が、表示信号に基づいて表示部５０にスケジュール情報を表示させる（ステップＳ１１６）。すなわち表示部５０は、利用者によりタッチパネル操作部５２が操作された時におけるスケジュール情報を表示する。これにより、本フローチャートの処理が終了する。
【００５２】
例えば、一般的に液晶ディスプレイや、有機ＥＬなどを用いた他の表示装置では電圧を印加することで表示部に画像を表示させる。このため、長時間、画像を表示させるためには、外部電源との接続や、容量の大きい電池などの設備が必要である。また、電池の充電や、交換が数時間、または数日ごとに必要である場合がある。
【００５３】
これに対して、本実施形態では、表示装置８０は、反射型表示装置を用いている。反射型表示装置としては、反射型液晶表示装置、エレクトロクロミック表示装置、電気泳動表示装置等を用いることができる。反射型液晶表示装置は、透過型液晶表示装置に比べて、バックライトが不要な分、大幅に消費電力を削減することができる。
【００５４】
また、エレクトロクロミック表示装置及び電気泳動表示装置は、画像を表示させると、長期間の間（例えば１年）、電力を用いることなく表示させた画像を保持することができる。このため、例えば表示部５０に表示させる画像を所定間隔（例えば１から１０分）に更新させることで、他の表示装置では数時間、または数日しか利用できない電池を用いても、数カ月以上、画像を所定時間ごとに更新させて、更新させた画像を表示させることができる。
【００５５】
なお、表示部５０が消費する電力は、他の装置との通信、または画像の切り換え頻度が低い程、消費する電力を抑制することができる。また、他の装置との通信、または画像の切り換え頻度を少なくする場合、利用者は、表示部５０に表示された画像に含まれる画像を切り換えた時刻（情報更新時刻）と、利用時の時刻とを比較することで、画像に表示された情報の信頼度を判断することができる。この場合、利用者は、必要に応じて画像を更新させることで信頼度の高い情報を取得することができる。
【００５６】
また、表示装置８０を用いて予定の取り消しを行うことができる。例えば予定していた外出が延期となった場合、例えば利用者によりタッチパネル操作部５２が操作されると、表示制御部６２の制御によって、問い合わせ画像を表示部５０に表示させる。
【００５７】
表示された画像に対応する操作が利用者により行われると、操作に対応する信号がサーバー装置３０に送信される。サーバー装置３０は、操作に対応する信号に基づいて処理を実行する。この場合、サーバー装置３０は、操作に対応する信号と処理とを対応付けて記憶している。
【００５８】
例えば利用者によりＩＤカードが提示されると、サーバー装置３０は、ＩＤカードから
読み取られた識別情報と、スケジュールの予定者の識別情報とが合致するか否かを判定し、識別情報が合致する場合、予定を取り消す。また、サーバー装置３０は、利用者によりタッチパネル操作部５２が操作されると、サーバー装置３０は、利用者のスケジュール情報を利用者へ提示して、新たにスケジュール登録をするか否かを問い合わせる画像を表示部８０に表示させる。
【００５９】
また、サーバー装置３０は、利用者によりタッチパネル操作部５２がスケジュール更新表示の操作がされると、サーバー装置３０は、スケジュールの更新情報を示す画像を表示部８０に表示させる。
【００６０】
なお、表示装置８０が操作に対応する信号をサーバー装置３０へ送信することに代えて、表示装置８０の制御部６０が、利用者の操作に基づいて問い合わせ画像を表示部５０に表示させてもよい。また、表示装置８０の制御部６０が、利用者の操作入力に基づいて、サーバー装置３０に実行する処理を指示する信号を送信してもよい。
【００６１】
この場合、表示装置８０の制御部６０には、例えば利用者の操作に基づいて問い合わせ画像を表示部５０に表示させたり、操作入力に対応する信号をサーバー装置３０に対して処理を指示する指示信号に変換したりするアプリケーションプログラムがインストールされている。
【００６２】
図７は、スケジュール登録していない利用者が表示装置８０を介してスケジュールを登録する場合の処理に係るシーケンス図である。個人のスケジュールが登録されていない場合、表示装置８０によりスケジュール表示部５０はブランク表示されている。本実施形態では、この場合に、利用者が表示装置８０を介してスケジュール登録をする場合について説明する。
【００６３】
まず、表示装置８０の読取部５８が、利用者によりＩＤカードが提示されるまで待機する（ステップＳ１６０）。利用者によりＩＤカードが提示されると、読取部５８は、ＩＤカードのＩＣチップに記憶された利用者の識別情報を読み取り、読み取られた利用者の識別情報をサーバー装置３０へ送信する（ステップＳ１６２）。
【００６４】
次に、サーバー装置３０は、送信された識別情報を参照して識別情報が記憶部２０に記憶された識別情報と合致するか否かを判定すると共に、所定時間（例えば３０分）、スケジュールが空いているかどうかを判定する（ステップＳ１６４）。サーバー装置３０は、例えば現在の時刻と予定が入っている時刻とを参照し、所定時間（例えば３０分）、予定を入れられるかを判定する。
【００６５】
現在の時刻から所定時間以内に予定が入っている場合は、スケジュールの登録を不可とする。サーバー装置３０は、識別情報の合致および所定時間のスケジュール登録を入れられると判定した場合、所定時間のスケジュール登録を記憶部２０に記憶された情報に反映させ記憶させる。
【００６６】
これによりＩＤカードを提示した利用者によりスケジュール登録がされたこととなる。次に、サーバー装置３０は、スケジュール登録を示す情報を表示装置８０に表示させるための表示信号を表示部５０へ送信する（ステップＳ１６６）。
【００６７】
次に、表示装置８０の表示制御部６２が、サーバー装置３０から送信された表示信号を取得し、取得した表示信号に基づいて表示部５０に画像を表示させる（ステップＳ１６８)。例えば利用者がＩＤカードを提示する際（ステップＳ１６０）には、表示装置８０は、スケジュールに予定が入ってなく、現在スケジュールが空きであることが表示されているものとする。
【００６８】
この状態において利用者ＵがＩＤカードを提示すると、表示装置８０は、サーバー装置３０の判定結果に基づいて、現在の時刻「２０ＹＹ／ＭＭ／ＤＤ  ９：００」から所定時間（例えば「９：００〜９：３０」）、予定が入ることを表示する。
【００６９】
図８は、表示部５０の断面図の一例を示す図である。図８を参照して、表示部５０の構成の一例について説明する。表示部５０は、基板８２上に、複数の反射画素電極部８４を備え、液晶層８６が積層されている。また、液晶層８６の上に、透明電極層８８と、インク定着層９０、カラーフィルタ９２、保護フィルム９４とが、この順で積層されている。
【００７０】
反射画素電極部８４は、例えば薄膜トランジスタ（ＴＦＴ：ｔｈｉｎ  ｆｉｌｍ  ｔｒａｎｓｉｓｔｏｒ）などのスイッチング素子と電気的に接続されている。反射画素電極部８４は、スイッチング素子の駆動に応じて透明電極層８８との間でスイッチをＯＮ／ＯＦＦさせる。複数の反射画素電極部８４は、それぞれ対応するスイッチング素子を有し、対応するスイッチング素子の駆動により電圧が印加される。
【００７１】
スイッチング素子の駆動は、制御部６０により制御される。これにより特定の反射画素電極部８４に対して電圧を印加できるので、特定の反射画素電極部８４に対応する液晶層８６が駆動する。すなわち、表示装置８０は、表示面の所定領域のみの情報の書き換えが可能である。
【００７２】
透明電極層８８は、全面を同一の電位とする共通電極である。透明電極層８８は、例えば、透明電極層（ＩＴＯ膜）などの導電性酸化物などで形成される。インク定着層９０は、例えば、透明なガラスや樹脂などで形成される。また、インク定着層９０は、例えば、絶縁性の材料で構成される。保護フィルム９４は、カラーフィルタ９２の上に積層され、カラーフィルタ９２を保護するためのものである。
【００７３】
カラーフィルタ９２について説明する。カラーフィルタ９２は、例えばインク定着層９０にインクが塗布されることにより形成される。
【００７４】
図９は、表示部５０の斜視図である。カラーフィルタ９２は、例えば４つのサブ画素（第１のサブ画素（１）、第２のサブ画素（２）、第３のサブ画素（３）、第４のサブ画素（４））で１画素を形成する。１画素は、１つの反射画素電極部８４に対応する。
【００７５】
カラーフィルタ９２の配置は、以下説明するモノカラー型、ダブルカラー型、フルカラー型、およびモノクロ型のうち、表示面の領域ごとに選択してもよいし、いずれか１つの型を選択してもよい。
【００７６】
＜モノカラー型＞
図９を参照してモノカラー型について説明する。モノカラー型のカラーフィルタ９２は、補色関係にある２色のサブ画素、および透明の透明サブ画素を含んでいる。補色関係にある２色のサブ画素は、例えば赤色である赤色サブ画素９２Ｒと、シアン色であるシアン色サブ画素９２Ｃとである。カラーフィルタ９２の補色関係は、赤色とシアン色とに限らず、マゼンタ色と緑色や、黄色と青色など混色により白色となる組み合わせであればよい。
【００７７】
補色関係とは、例えばカラーフィルタ９２の着色部の色相が、物体の色を測定するための標準光源であるＤ６５光源を使用して透過光（反射光）で測定したＬ＊ａ＊ｂ＊（エルスター・エイスター・ビースター）表現色である。
【００７８】
この場合、着色部の色相は透明の基材に印刷した着色画素を透過測定で測定する色相である。また、補色関係にある２色のサブ画素は、色の異なる複数の着色層により形成されてもよい。
【００７９】
図示するように４つのサブ画素は、赤色サブ画素９２Ｒ（第１のサブ画素）とシアン色サブ画素９２Ｃ（第３のサブ画素）が対角し、２つの透明サブ画素９２Ｔ‐Ａ（第２のサブ画素）と透明サブ画素９２Ｔ‐Ｂ（第４のサブ画素）とが対角するように配置される。シアン色サブ画素９２Ｃは、着色領域９２Ｃ−Ｃと非着色領域９２Ｃ−Ｓとを有し、非着色領域９２Ｃ−Ｓは着色領域９２Ｃ−Ｃの周辺に形成される。
【００８０】
図９Ａ）は、赤色サブ画素９２Ｒに対面する液晶層８６の表示を黒とし、他のサブ画像に対面する液晶層８６の表示を白とした場合を示している。この場合、シアン色サブ画素９２Ｃ、および透明サブ画素９２Ｔ‐Ａ、９２Ｔ‐Ｂを透過した色の混色で表現され、理論上、薄いシアン色となる。ただし、実際は赤色サブ画素９２Ｒ上での表面反射による色付き等により、淡い赤色も混ざった光の混色として視認される。
【００８１】
図９Ｂ）は、赤色サブ画素９２Ｒに対面する液晶層８６の表示を白とし、シアン色サブ画素９２Ｃ、透明サブ画像９２Ｔ-Ａ、９２Ｔ-Ｂに対面する液晶層８６の表示を黒とした場合を示している。この場合、シアン色サブ画素９２Ｃに対応する領域では光がほとんど反射せず、赤色サブ画素９２Ｒを透過した色で表現されるため、赤色が表示される。
【００８２】
なお、１画素に対応する液晶層８６の表示を白とすると白を表示し、１画素に対応する液晶層８６の表示を黒とすると黒を表示する。このように表示部５０は、制御部６０により画素電極部８４が制御されることで画像や、文字等を表示する。
【００８３】
上述したモノカラー型のカラーフィルタ９２を用いると、例えば白、黒、赤色を表示することができる。モノカラー型では、カラーフィルタ９２Ｔに対面する液晶層８６の表示を白として、カラーフィルタ９２Ｃ，９２Ｒに対面する液晶層８６の表示を黒とすると白表示をすることができる。
【００８４】
この場合、後述するフルカラー型のカラーフィルタを用いる場合に比べて、シアン色サブ画素９２Ｃを含むホワイトバランス調整が非常に容易であり自然な白色を表現できる。また、赤色表示の彩度を変更することができる。
【００８５】
＜ダブルカラー型＞
図９の例において、赤色サブ画素９２Ｒおよびシアン色サブ画素９２Ｃに代えて、補色関係にない２色を用いてもよい。以下、ダブルカラー型と称する。ダブルカラー型では、白表示はできないが、補色関係にない２色の彩度を高く表示することができる。
【００８６】
図１０は、Ｌ＊ａ＊ｂ＊表色系において色相と彩度とを示す図である。例えば第１のサブ画素は、色相角度ｈ１が−３０度以上４５度以下の範囲にある赤系の色とし、第３のサブ画素は、色相角度ｈ２が第１の色相角度ｈ１から２１０度以上３００度以下動いた範囲にある青系の色とする。
【００８７】
これにより、視認者に注目されやすい彩度の赤と青の表示ができる。また、第２のサブ画素または第４のサブ画素を、透明樹脂層又は空隙とすることができる。第１のサブ画素と第３のサブ画素は、補色関係でないため、混色させることで第３の色相を鮮やかな色を表示することができる。
【００８８】
赤と青の場合は、紫色を表示できる。また、警告色や注意喚起に使われる赤色を濃く表
示できる。もちろん第１のサブ画素の色相と第３のサブ画素の色相が逆の場合でも同じ表示ができることは明らかである。
【００８９】
また、第１のサブ画素は、上述したｈ１、ｈ２に代え、色相角度が０度以上６０度以下の範囲にある赤系の色とし、第２のサブ画素は、色相角度が第１の色相から色相角度が６０度以上１５０度以下動いた範囲にある黄緑系の色としてもよい。これにより、緑と赤およびその混色である黄色の表示ができる。また、警告色や注意喚起に使われる赤色を濃く表示できる。
【００９０】
また、第１のサブ画素に第１の色を設け、第３のサブ画素に第３の色を設けた状態で、第１のサブ画素に対面する液晶層８６の表示を白とし、第３のサブ画素に対面する液晶層８６の表示を黒とした場合に、第２の色の色相角度は、第１の色の色相角度から６０度以上１５０度以下動いた範囲、または２１０度以上３００度以下動いた範囲にあってもよい。
【００９１】
このような色相角度の関係を持つことにより、第１の色と第２の色とは補色関係にないにも関わらず、濃い色を表示させることができる。
【００９２】
＜フルカラー型＞
図１１は、フルカラー型について説明するための図であり、表示部５０Ａは、図９を用いて説明した表示部５０とカラーフィルタ９２の構成が異なる。表示部５０Ａのカラーフィルタ９２は、三原色と透明色とで構成される。例えば、赤色サブ画素９２Ｒ、緑色サブ画素９２Ｇ、青色サブ画素９２Ｂ、および透明サブ画素９２Ｔで構成される。
【００９３】
カラーフィルタ９２に対面する液晶層８６の表示を全て白とすると、カラーフィルタ９２を透過する光のすべてが液晶層８６に反射され、赤色サブ画素９２Ｒ、緑色サブ画素９２Ｇ、および青色サブ画素９２Ｂを透過する光の混色により白が表示される。
【００９４】
また、図示するように赤色サブ画素９２Ｒに対応する液晶層８６を白表示とすると、カラーフィルタ９２を透過する光は赤色サブ画素９２Ｒに対応する部分で反射し、赤色サブ画素９２Ｒを透過して、他のサブ画像に対応する部分では反射されないため赤が表示される。
【００９５】
なお、フルカラー型では、赤色サブ画素９２Ｒ、緑色サブ画素９２Ｇ、および青色サブ画素９２Ｂを用いており、透明色のサブ画素が少ないため、モノカラーに比べて白表示の反射率が低くなる傾向となる。また、モノカラーに比べて表示される色の彩度が低くなる傾向となる。
【００９６】
＜モノクロ型＞
カラーフィルタ９２を設けない場合は、白色および黒色の２色を表示させることができるモノクロ型となる。これにより白色又は黒色を濃く表示することができる。
【００９７】
なお、図示するように４つのサブ画素のうち、透明サブ画素を含めずに第１のサブ画素（１）９２Ｂと第３のサブ画素（３）９２Ｒとに第１の色を着色し、第２のサブ画素（２）９２Ｔ−Ａと第４のサブ画素（４）９２Ｔ−Ｂとに第２の色を着色する構成としてもよい。
【００９８】
図１２は、表示部５０が表示する画像とカラーフィルタとの関係を説明するための図である。表示部５０は、例えば領域Ｔ１０などのように文字情報を表示する領域は、モノクロ表示型で表示面を形成する。これにより、文字情報を明瞭に表示させることができる。
【００９９】
また、表示部５０において、例えば文字情報と色情報とを用いて情報を表示させる領域では、モノカラー型、ダブルカラー型、フルカラー型のカラーフィルタ９２を用いる。
【０１００】
例えば領域Ｔ１１をフルカラー型で形成すれば、三原色の混合により生成される複数の色から各人物に応じた色情報を表示することができ、Ａさんの予定は赤、Ｂさんの予定は緑、Ｃさんの予定は黄色などとすることができる。
【０１０１】
さらに２色を彩度高く表示させたい領域では、ダブルカラー型を用いると好適である。これにより、色情報を彩度高く表示させることができる。
【０１０２】
なお、表示制御部６２は、サーバー装置３０から送信された信号を取得し、取得した信号に対応する画像を表示部５０に表示させてもよい。この場合、予め表示部５０のカラーフィルタ９２の構成は記憶部２０に記憶されており、サーバー装置３０は、記憶部２０に記憶されたカラーフィルタ９２の構成と表示部５０に表示させる画像とに基づいて、信号を生成する。
【０１０３】
また、表示装置８０の制御部６０が、自装置のカラーフィルタ９２の構成を記憶し、サーバー装置３０から送信された画像表示の信号に基づいて、表示部５０に画像を表示させてもよい。
【０１０４】
以上説明した表示装置８０は、サーバー装置３０から送信された表示信号に基づいて、利用者のスケジュール情報を表示部５０に表示させることができる。また、表示装置８０が、利用者から取得した情報をサーバー装置３０に送信し、サーバー装置３０から返信された情報に基づいて、スケジュールの登録可否を示す情報を表示部５０に表示させることができる。
【０１０５】
この結果、消費電力を抑制しつつ、各人物のスケジュール情報や、スケジュールの登録可否を利用者に視認させることができる。
【０１０６】
また、表示部５０は、画像を表示する表示領域のうち、一部の領域に表示された画像を書き換えることができるため、電力消費を抑制することができる。また、表示部５０は、消費電力を抑制しつつ、画像を表示する領域ごとに色相や、彩度を変えて表示させることができるので、より視認性を高めて情報を表示させることができる。
【０１０７】
本発明は、個別もしくは複数名のスケジュール表示部を有するカレンダーを表示し、スマートフォンやパソコン等の電子機器を用いて遠距離からもスケジュール入力可能な表示装置及び表示システムとして、一般家庭向け表示装置や産業用表示装置等、多様な用途へ適用可能である。
【符号の説明】
【０１０８】
１・・・表示システム
１０−１〜１０−Ｍ・・・入力端末
２０・・・記憶部
３０・・・サーバー装置
３２・・・通信部
３４・・・制御部
５０−１〜５０−Ｎ・・・表示部
５２・・・タッチパネル操作部
５８・・・読取部
６０・・・制御部
６２・・・情報制御部
６４・・・情報処理部
７０・・・通信部
８０−１〜８０−Ｎ・・・表示装置
８２・・・基板
８４・・・反射画素電極部
８６・・・液晶層
８８・・・透明電極層
９０・・・インク定着層
９２・・・カラーフィルタ
９４・・・保護フィルム
【図１】
2017015858.tif 000003
【図２】
2017015858.tif 000004
【図３】
2017015858.tif 000005
【図４】
2017015858.tif 000006
【図５】
2017015858.tif 000007
【図６】
2017015858.tif 000008
【図７】
2017015858.tif 000009
【図８】
2017015858.tif 000010
【図９】
2017015858.tif 000011
【図１０】
2017015858.tif 000012
【図１２】
2017015858.tif 000013
【図１１】
2017015858.tif 000014